(57)【要約】      （修正有）【課題】バッフル効果を低減して音離れや音像定位性を改善し、使用しないときには小さく折り畳んで収納することを可能とするスピーカー用キャビネットを提供する。【解決手段】一方の板材１を用意し、この板材１の左右端部に端板２、３をそれぞれ蝶着し、この一方の板材１に開口部を設けるとともにこの開口部の縁部に沿うように筒状体５を固定し、この筒状体５において開口部に固定される面に対向する面にスピーカー取り付け用板７を着脱可能に取り付け、他方の板材８を用意し、この他方の板材８の左右両端部に端板９、１０をそれぞれ蝶着し、一方の板材１の下端と他方の板材８の上端及び、一方と他方の板材１、８にそれぞれ蝶着されている端板同士を着脱自在に取り付け、各板材と各端板との間に角度を付けることにより全体を自立可能とするとともに、スピーカー取り付け板７の中心部から上下左右の板先端までの距離を不等長に構成する。【選択図】図１
0003195142.tif 000002
【実用新案登録請求の範囲】
【請求項１】
一方の板材を用意し、この板材の左右端部に端板をそれぞれ蝶着し、この一方の板材に開口部を設けるとともにこの開口部の縁部に沿うように筒状体を固定し、この筒状体において前記開口部に固定される面と反対の面にスピーカー取り付け用板を着脱可能に取り付け、他方の板材を用意し、この他方の板材の左右両端部に端板をそれぞれ蝶着し、前記一方の板材の下端と前記他方の板材の上端及び、一方と他方の板材にそれぞれ蝶着されている端板同士を着脱自在に取り付け、各板材と各端板との間に角度を付けることにより全体を自立可能とするとともに、スピーカー取り付け板の中心部から上下左右の板先端までの距離を不等長に構成したことを特徴とするスピーカー用キャビネット
【請求項２】
前記筒状体の一方の板材への取り付け基部からスピーカー取り付け板側の表面までの距離が３０ｍｍ以上であることを特徴とする請求項１に記載のスピーカー用キャビネット。
【請求項３】
前記筒状体と一方の板材との間に補強板材を介挿したことを特徴とする請求項１及び２のいずれかに記載のスピーカー用キャビネット。
【請求項４】
前記各端板は左右で幅を異ならしめていることを特徴とする請求項１ないし３のいずれかに記載のスピーカー用キャビネット。
【請求項５】
前記筒状体を角型に構成するととともに、その上面に高音用スピーカーを取り付けるための取り付け台を設けたことを特徴とする請求項１ないし４のいずれかに記載のスピーカー用キャビネット。
【請求項６】
一方の板材に蝶着された各端板の上端部を連結体で連結するとともに、この連結体から吸音材を垂下させたことを特徴とする請求項１ないし５のいずれかに記載のスピーカー用キャビネット。
【請求項７】
前記各板材の左右に蝶着された各端板の幅を、各端板の幅を合計した長さが各板材の横幅に対して１ｍｍから１００ｍｍの間で短くなるよう設定し、各板材の裏面に各端板が重なることなく折り畳まれるよう構成したものであることを特徴とする請求項１ないし６のいずれかに記載のスピーカー用キャビネット
【請求項８】
前記一方と他方の板材同士の接続部、及び端板同士の接続部に跨る接続用補助板を一方または他方の板材のいずれか、及び接続されるいずれかの端板に夫々設けたことを特徴とする請求項１ないし７のいずれかに記載のスピーカー用キャビネット。
【考案の詳細な説明】
【技術分野】
【０００１】本考案はスピーカーユニットを着脱自在に固定して使用するキャビネットに関する。
【背景技術】
【０００２】  一般にスピーカー用のキャビネットは密閉やバスレフ型のものが採用される例が多いが、平面の板にスピーカーを取り付けた通称平面バッフル型と呼ばれるものがある。これは例えば下記の特許文献に示すように平板に穴を設け、そこにスピーカーユニットを取り付ける構造になっている。この例では平板を一部多層化することで共振点の分散を図るものとなっている。【０００３】  このように構造は比較的簡単であるが、スピーカー背面が解放されているため、他の方式のシステムに比較してスピーカーユニットの振動板に負荷がかからず率直な音質が得られるという利点がある。
【先行技術文献】
【特許文献】
【０００４】
【特許文献１】特許公開平１０−１０８２８５号公報
【考案の概要】
【考案が解決しようとする課題】
【０００５】  ところが、従来の平面バッフル型ではスピーカーユニットの開口面が広い板材と同一平面（あるいは補強板の厚さ程度の段差）であるため、いわゆるバッフル効果が極めて大きい。バッフル効果は低域の増強には効果があるものの、いわゆる音離れが悪化し、音像定位の悪化、特定周波数への依存性が生じる。【０００６】  またその他の問題として、一般に平面バッフル型は単純な板を使用するものであるため自立が困難である。いわゆるつっかえ棒を設けて自立可能にしたものはあるが安定感に欠けるという問題がある。【０００７】  そして、従来の平面バッフル型では再生する波長の関係から、少なくとも畳一畳分の大きさが必要であるとされている。これは一般住宅では邪魔となる大きさであり、使用しないときは圧迫感のある壁のような存在となってしまう。【０００８】  さらに、平面バッフル型に使用されるスピーカーユニットはいわゆるフルレンジ型が用いられるがユニットによっては高音不足となる。この場合、バッフルに穴をあけて高音専用スピーカーを増設することとなるが、大面積の板に穴を開ける作業は面倒であるとともに、一度装着した高音専用スピーカーを変更するのも容易ならざるものがある。【０００９】    本発明は、上述の点に鑑みてなされたものであり、所謂バッフル効果を低減して音離れや音像定位性を改善する。また、使用しないときには小さく折り畳んで収納することを可能とする。そして、スピーカーの着脱を容易にする。さらに、自立させることができるとともに、若干の音質調整を可能とする。そして、高音用スピーカーの設置や交換も容易であるスピーカー用キャビネットを提供することを目的とする。
【課題を解決するための手段】
【００１０】  使用時において上側となる一方の板材を用意し、この板材の左右端部に端板をそれぞれ蝶番などで蝶着する。
この一方の板材に開口部を設けるとともにこの開口部の縁部に沿うように筒状体を固定し、この筒状体において前記開口部に固定される面と反対の面、すなわち突出する面にスピーカー取り付け用板を着脱可能に取り付ける。したがってスピーカーユニットの振動板は板材から突出した位置となる。【００１１】  次に使用時において下側となる他方の板材を用意し、この板材の左右両端部に端板をそれぞれ蝶着する。
そして、前記一方の板材の下端と前記他方の板材の上端及び、一方と他方の板材にそれぞれ蝶着されている端板同士を着脱自在に取り付ける。すなわちスピーカーの周囲部分を除くと類似形状となるものを上下に接続する。【００１２】  上下を接続した状態において、各板材と各端板との間に角度を付けることにより全体が自立可能となる。この角度は９０度にするのが最も安定するが、音響的には自立する範囲で角度を少なくするのがよい。なお、スピーカー取り付け板の中心部から上下左右の板先端までの距離は不等（同寸法ではない）に構成する。【００１３】  ここで、前記筒状体の一方の板材への取り付け基部からスピーカー取り付け板側の表面までの距離が３０ｍｍ以上に設定する。
また、前記筒状体と一方の板材との間に補強板材を介挿せしめる。
さらに前記各端板を左右で幅を異ならしめる。
そして、前記筒状体を角型に構成するととともに、その上面に高音用スピーカーを取り付けるための取り付け台を設ける。【００１４】  また、一方の板材に蝶着された各端板の上端部を連結体で連結するとともに、この連結体から吸音材を垂下させる構成とすることができる。
さらに、前記各板材の左右に蝶着された各端板の幅を、各端板の幅を合計した長さが各板材の横幅に対して１ｍｍから１００ｍｍの間で短くなるよう設定し、各板材の裏面に各端板が重なることなく折り畳まれるように構成することができる。【００１５】  そして、前記一方と他方の板材同士の接続部、及び端板同士の接続部に跨る接続用補助板を一方または他方の板材のいずれか、及び接続されるいずれかの端板に夫々設けることで、上下の板材の接合が容易となる。
【考案の効果】
【００１６】本考案によれば、スピーカーの振動板面を大面積の板材から突出させた形状とすることができるため、所謂バッフル効果を低減でき音離れや音像定位性が改善する。
また、使用しないときには投影面積が板材の大きさ程度にまで小さく折り畳んで収納することができる。【００１７】  さらに、自立させることができるとともに、端材の角度を変えることで若干の音質調整も可能である。そして、突出した筒状体の上面に容易に高音用スピーカーを設置でき交換も容易となる。
また、接続用補助板を設けることで上下の板材の接合分離が容易になるとともに、防振と補強の効果もある。
【図面の簡単な説明】
【００１８】
【図１】本考案の一実施例であるスピーカー用キャビネットの全体を示す斜視図である
【図２】本考案の一実施例であるスピーカー用キャビネットの要部の裏面図
【図３】本考案の一実施例であるスピーカー用キャビネットの部分的側面図
【図４】本考案の一実施例であるスピーカー用キャビネットの部分的断面図
【図５】本考案の一実施例であるスピーカー用キャビネットの筒状体付近の正面図
【図６】本考案の他の実施例であるスピーカー用キャビネットの部分的斜視図
【図７】本考案の他の実施例であるスピーカー用キャビネットの使用状態の平面図
【図８】本考案の他の実施例であるスピーカー用キャビネットの収納状態の平面図
【考案を実施するための形態】
【００１９】    次に、図面を参照して、本発明の実施の形態を説明する。
【実施例１】
【００２０】本スピーカー用キャビネットは全体の高さ１４０ｃｍ、全体の幅９９ｃｍであり、全体の中央部分からややずれた位置にスピーカーを設けた自立構造になっている。
１は一方の板材を示し、高さ７０ｃｍ幅５０ｃｍの合板である。以下特に指定のない部材は合板で構成される。一方の板材１の両側面には蝶番１１を介して端板２、３が夫々蝶着されている。端板２、３の長さは一方の板材１の長さと同一、幅は夫々２２ｃｍと２７ｃｍになっている。【００２１】  この一方の板材１の下方中央部にはやや横長の４角形にした開口部４が形成されている。そしてこの開口部４の縁部に沿うように筒状体５が固定されている。この筒状体５は４枚の合板を四角形に組み合わせて構成されている。
そして、図４に示すように筒状体５において前記開口部４に固定される面と反対の面６にスピーカー取り付け用板７を着脱可能に取り付ける。なお、図１ないし図５の実施例では前記筒状体５と一方の板材１との間に補強板材１４を介挿してある。補強板材１４は必須ではないが、最も振動が多くなるスピーカー取り付け部分を補強し、共振周波数を分散させる効果がある。【００２２】  スピーカー取り付け用板にはスピーカーユニット７１が取り付けられるよう穴を設けるか、あるいはユーザーが好みのユニットの穴を開けられるように無穴とする。
筒状体５の内側四隅にはスピーカー取り付け用板７を着脱可能に取り付けるための取り付け部材５１が設けられている。この取り付け部材５１には貫通穴５２が形成されておりこの貫通穴５２の奥端部にはつめ付きナット５４が設けられている。【００２３】  一方、スピーカー取り付け用板７には貫通穴５２に対応した取り付け穴７３が形成されており、４本のボルト７２を取り付け穴７３からつめ付きナット５４に螺入することでスピーカー取り付け用板７が着脱自在に装着できるようになっている。
このため、スピーカー取り付け用板７を複数枚用意し、これに好みのスピーカーユニット７１を取り付けておくことにより、４本のボルト７２の着脱のみで任意のスピーカーユニットに交換することができる。【００２４】  なお、補強板材１４の下端は図４に示すように、一方の板材１の下端から３ｃｍ突出するよう設けられていて、取り付け穴６０が設けられている。さらに端板２、３の下端には接続用補助板２０、２１が取り付けられている。この接続用補助板２０、２１の長さは端板２、３の幅と同一、接続用補助板２０、２１の幅は６ｃｍとなっており、端板２、３の下端から夫々３ｃｍ突出して設けられている。接続用補助板２０、２１には取り付け用の穴２２、２３が穿設されている。【００２５】  以上が図１において上側に位置するキャビネットの構造である。
次に下側に位置するキャビネットについて説明する。
８は一方の板材１と同寸法に切断した他方の板材である。この他方の板材８の左右両端部に端板９，１０がそれぞれ蝶番１１により蝶着されている。【００２６】  以上の構成になるキャビネットを一体化するには、図１に示すように、端板９，１０を４５度程度に開き、他方の板材８を立てた状態とする。
この状態で一方の板材１を上から他方の板材８に差し込む。図６は差し込む様子を示しているが、説明のため端板９，１０は他方の板材８と同一平面になっている。【００２７】  接続用補助板２０、２１は下方に３ｃｍ突出しているため、他方の板材８に差し込んだ状態では図３ないし図５に示すように端板９，１０の上端側面に位置することになる。このように組み合わされた状態で自立が可能となる（端板９，１０の角度を４５度から９０度程度にした場合）。この状態で取り付け穴６０と取り付け用の穴２２、２３から木ネジ６１を螺入して図４に示すように両者を固定する。
なお、前記筒状体５の内側にはスピーカーターミナル５３が設けられており、この端子とスピーカーユニット７１の端子を図示しないリード線で着脱可能に接続する。
【実施例２】
【００２８】  以上述べた実施例１では前記筒状体５と一方の板材１との間に補強板材１４を介挿したものであるが、実施例２では前記筒状体５を一方の板材１に直接取り付けたものである。図６ないし図８を参照して説明する。
図６に示すように前記筒状体５を支えるように接続用補助板２４を設けた。この接続用補助板２４は接続用補助板２０、２１と同様の形態で一方の板材１の下部に設けられており一方の板材１の下部から３ｃｍ突出して固定されている。【００２９】  したがって図６に示すように、組み立てた状態では接続用補助板２が他方の板材８の側面に位置することとなり木ネジ６１で他方の板材８に締着することができる。
組み立てた状態では１０本程度の木ネジ６１で上下板材等が固定されるため、一枚板のような強度が得られるが、端板は蝶版１１で軽く固定されているに過ぎないため、図９に示すように各端板の上端部を連結体９５で連結した。これにより端板は開き難くなり補強することが可能となった。【００３０】  なお、図７に示すようにこの連結体９５から吸音材９６を垂下させることによってスピーカー背面の音を吸収でき壁からの反響を抑制することが可能となる。また、連結体９５から図示しない錘を垂下させると更に安定を増すことができる。
本キャビネットを分解する際には上記手順と逆に木ネジ６１を外して上下のキャビネットを分離する。【００３１】  そして、各端板を図８に示すように後方へ折り畳む。ここで端板２、３の長さは一方の板材１の長さと同一、幅は夫々２２ｃｍと２７ｃｍとなっているため、幅５０ｃｍの一方の板材１の裏面で折り畳むと端板２、３間に約１０ｍｍの隙間ができる。この隙間は１０ｍｍから２０ｍｍ程度が好適だが１ｍｍから１００ｍｍの間で実用することができる。
このようにして上下キャビネットを折り畳むと、外寸は一方の板材１と略同寸法（５０ｃｍ×７３ｃｍ）となり、厚みが十数センチとなるため邪魔にならず納戸や押入れにも容易に収納することができる。【００３２】  なお、前記筒状体５の一方の板材１への取り付け基部からスピーカー取り付け板７側の表面までの距離、すなわち前記筒状体５の厚みはあまり薄いとバッフル効果から離脱できず、一方数十ｃｍにもなると筒状体５が一種の共振管となってしまうため、適切な範囲がある。実験の結果厚みが３０ｍｍ以上であると音質的な優位性が発現することが明らかとなった。【００３３】  筒状体５の内寸は使用するスピーカーによって異なり１０ｃｍ径のスピーカーでは一辺が１５ｃｍ角程度、１６ｃｍ径では同２０ｃｍ程度、２０ｃｍ径では２５ｃｍ程度が望ましい。したがって大口径になるほど筒状体５の厚みを増やすことができ２０ｃｍ径では２０ｃｍ程度までは共振の影響がないという結果を得た。
なお、前記筒状体は円形でも良いがこれを実施例のように角型に構成し、その上面に高  音用スピーカー（図示しない）を取り付けるための取り付け台９７を設けたことで高音  用スピーカーの設置が極めて容易となる。【００３４】    なお、左右の端板２、３等の角度を調整することで音質の変化を楽しむことができる  。音波は回折するため端板２、３等の角度を調整することで音波の回り込み量を変化さ  せることができ、これと併せて吸音材９６の質や量を調整することで広範な音質調整が  可能となった。また、取り付け部材５１の表面の高さを反対の面６から０．５ｍｍない  し１ｍｍ程度後退させてある。これによって、スピーカー取り付け用板７を反対の面に  取り付ける際に筒状体５の周囲とスピーカー取り付け用板７の裏面とを密着させること  ができ音質が向上した。
【産業上の利用可能性】
【００３５】    本考案はスピーカー用キャビネットを製造する産業で利用される。
【符号の説明】
【００３６】１…一方の板材
２…端材
３…端材
４…開口部
５…筒状体
６…反対の面
７…スピーカー取り付け用板
８…他方の板材
９…端板
１０…端板
１１…蝶板
１４…補強板材
２０…接続用補助板
２１…接続用補助板
２２…取り付け用の穴
２３…取り付け用の穴
５１…取り付け部材
５２…貫通穴
６１…木ネジ
７１…スピーカーユニット
７２…ボルト
７３…取り付け穴
９５…連結体
９６…吸音材
【図１】
0003195142.tif 000003
【図２】
0003195142.tif 000004
【図３】
0003195142.tif 000005
【図４】
0003195142.tif 000006
【図５】
0003195142.tif 000007
【図６】
0003195142.tif 000008
【図７】
0003195142.tif 000009
【図８】
0003195142.tif 000010